(57)【要約】【課題】残留媒体による障害の発生を抑制することができる媒体処理装置を提供する。【解決手段】媒体が搬送される搬送路を備える媒体処理装置１であって、前記媒体を取り込む取込手段５と、前記媒体の搬送中に障害が発生した場合に、障害復旧動作を実行させる制御手段３と、を備え、制御手段３は、前記障害復旧動作を完了する前に、前記搬送路を確認するための搬送路確認用紙を取込手段５から取り込ませ、取り込んだ前記搬送路確認用紙を搬送させる搬送路確認動作を搬送部に実行させる。【選択図】図１
2018180598.tif 000002
【特許請求の範囲】
【請求項１】
媒体が搬送される搬送路を備える媒体処理装置であって、
前記媒体を取り込む取込手段と、
前記媒体の搬送中に障害が発生した場合に、障害復旧動作を実行させる制御手段と、を備え、
前記制御手段は、前記障害復旧動作を完了する前に、前記搬送路を確認するための搬送路確認用紙を前記取込手段から取り込ませ、取り込んだ前記搬送路確認用紙を搬送させる搬送路確認動作を搬送部に実行させる、
ことを特徴とする媒体処理装置。
【請求項２】
操作者に対して表示を行う表示手段をさらに備え、
前記制御手段は、前記取込手段への前記搬送路確認用紙の投入を促す情報を前記表示手段に表示させる、
ことを特徴とする請求項１に記載の媒体処理装置。
【請求項３】
前記媒体を鑑別する鑑別手段をさらに備え、
前記制御手段は、前記搬送路確認用紙の鑑別結果を前記媒体の情報に書き換え、書き換えた鑑別結果に基づいて前記搬送路確認用紙を搬送させる、
ことを特徴とする請求項１または請求項２に記載の媒体処理装置。
【請求項４】
異常と鑑別された前記媒体を集積する異常媒体集積手段をさらに備え、
前記制御手段は、前記搬送路確認用紙と共にまたは前記搬送路確認用紙に代えて前記媒体が前記取込手段から取り込まれた場合に、当該媒体を前記異常媒体集積手段に搬送する、
ことを特徴とする請求項３に記載の媒体処理装置。
【請求項５】
異常と鑑別された前記媒体を集積する異常媒体集積手段をさらに備え、
前記制御手段は、前記搬送路確認用紙が異常と鑑別された場合に、当該搬送路確認用紙を前記異常媒体集積手段に搬送する、
ことを特徴とする請求項３または請求項４に記載の媒体処理装置。
【請求項６】
前記制御手段は、取引中に前記媒体を搬送する速度に比べて、前記搬送路確認動作で前記搬送路確認用紙を低速で搬送する、
ことを特徴とする請求項１ないし請求項５の何れか１項に記載の媒体処理装置。
【請求項７】
操作者により入力操作が行われる操作手段をさらに備え、
前記制御手段は、前記搬送路確認動作の解除または中止が前記操作手段を介して入力された場合に当該搬送路確認動作を行わない、
ことを特徴とする請求項１ないし請求項６の何れか１項に記載の媒体処理装置。
【発明の詳細な説明】
【技術分野】
【０００１】
本発明は、媒体処理装置に関する。
【背景技術】
【０００２】
媒体の処理を行う媒体処理装置の一つとして、金融機関の営業店、現金処理センタ、店舗等のバックヤードにおいて、媒体としての紙幣を整理して所定枚数単位（例えば１００枚単位）で施封する媒体整理装置がある。
【０００３】
媒体整理装置では、例えば一時集積部を備え、オペレータが施封する金種を指定して紙幣をセットすると、セットした紙幣を鑑別部に搬送して金種等の鑑別及び計数を行い、指定された金種紙幣を一時集積部に集積する。そして、紙幣が一定枚数集積されると、その紙幣を移送手段により施封部に移送し、この施封部により紙幣を結束帯（紙帯）で結束（施封）して紙幣束として放出する。
【０００４】
ここで、媒体整理装置による紙幣の整理中に障害が発生し、紙幣が搬送路に残留しているにもかかわらず障害復旧動作を正常終了した場合、現金不足（現金障害）を発生する虞がある。その為、従来、ＣＣＤカメラを用いて現金処理機内を撮影することで紙幣残留等の現金障害を防止する技術が提案されている（特許文献１参照）。
【０００５】
特許文献１に記載される技術は、現金処理機内にＣＣＤカメラを配置し、搬送路に残留紙幣がない正常状態の内部を正常イメージデータとして撮像する。また、障害復旧処理におけるリセット動作後の内部を復旧後イメージデータとして撮像する。そして、正常イメージデータと復旧後イメージデータとを比較し、比較結果が一致しなければ、紙幣残留等の現金障害が発生したと判定する。
【先行技術文献】
【特許文献】
【０００６】
【特許文献１】特開平６−３２５２４４号公報
【発明の概要】
【発明が解決しようとする課題】
【０００７】
しかしながら、特許文献１に記載される技術では、複雑な形状の搬送路を有する媒体処理装置に対応させるのが難しかった。
つまり、複雑な形状の搬送路を有する媒体処理装置の場合、ＣＣＤカメラの搭載ができない虞がある。また、仮に搭載できたとしてもＣＣＤカメラの配置場所が限定されるので、すべての残留紙幣を検出することが難しい。
【０００８】
本発明は、前記問題に鑑みてなされたものであり、残留媒体による障害の発生を抑制することができる媒体処理装置を提供するものである。
【課題を解決するための手段】
【０００９】
前記課題を解決するため、本発明に係る媒体処理装置は、媒体が搬送される搬送路を備える媒体処理装置であって、前記媒体を取り込む取込手段と、前記媒体の搬送中に障害が発生した場合に、障害復旧動作を実行させる制御手段と、を備え、前記制御手段は、前記障害復旧動作を完了する前に、前記搬送路を確認するための搬送路確認用紙を前記取込手段から取り込ませ、取り込んだ前記搬送路確認用紙を搬送させる搬送路確認動作を搬送部に実行させる、ことを特徴とする。
【発明の効果】
【００１０】
本発明によれば、残留媒体による障害の発生を抑制することができる。
【図面の簡単な説明】
【００１１】
【図１】本発明の第１ないし第５実施形態に係る紙幣整理装置の概略断面図である。
【図２】操作部の概略構成図である。
【図３】本発明の第１ないし第４実施形態に係る紙幣整理装置における障害発生後の復旧動作を示すフローチャートの例示である。
【図４】本発明の第１実施形態に係る紙幣整理装置が表示する障害情報画面の例示である。
【図５】本発明の第１実施形態に係る紙幣整理装置が表示する紙幣取り除き誘導画面の例示である。
【図６】本発明の第１実施形態に係る紙幣整理装置が表示する確認用紙セット誘導画面の例示である。
【図７】本発明の第１実施形態に係る紙幣整理装置が表示する搬送路確認中画面の例示である。
【図８】本発明の第１実施形態に係る紙幣整理装置が表示する確認用紙抜取り誘導画面の例示である。
【図９】本発明の第１実施形態に係る紙幣整理装置が表示する確認用紙取り除き誘導画面の例示である。
【図１０】本発明の第５実施形態に係る紙幣整理装置における障害発生後の復旧動作を示すフローチャートの例示である。
【図１１】本発明の第５実施形態に係る紙幣整理装置が表示する確認用紙セット誘導画面の例示である。
【発明を実施するための形態】
【００１２】
以下、図面を参照して、本発明の実施形態について詳細に説明する。実施形態では、媒体処理装置の一例として紙幣を整理する紙幣整理装置を例示して説明する。説明は本発明に関連することについてのみ行い、それ以外の構成や動作の説明は省略する。
【００１３】
各図は、本発明を十分に理解できる程度に、概略的に示してあるに過ぎない。よって、本発明は、図示例のみに限定されるものではない。また、参照する図面において、本発明を構成する部材の寸法は、説明を明確にするために誇張して表現されている。なお、各図において、共通する構成要素や同様な構成要素については、同一の符号を付し、それらの重複する説明を省略する。
【００１４】
［第１実施形態］
≪第１実施形態に係る紙幣整理装置の構成≫
第１実施形態に係る紙幣整理装置の構成を図１に示す。紙幣整理装置１は、紙幣Ｂを分類および計数し、所定枚数毎に結束して整理するものである。紙幣整理装置１は、例えば金融機関の営業店、現金処理センタ、店舗等のバックヤードに設置され、金融機関の職員等（以下では「作業者」と呼ぶ）の操作に従い、紙幣の整理を実行する。
【００１５】
紙幣整理装置１は、筐体２の内部に種々の機構が組み込まれており、制御部３がこれらの機構を統括制御する。制御部３は、図示しないＣＰＵ（Central Processing Unit）を中心に構成されており、図示しないＲＯＭやフラッシュメモリ等から所定のプログラムを読み出して実行することにより、紙幣整理装置１を制御する。
【００１６】
筐体２の上部後方には、操作表示部４が設置されている。操作表示部４は、例えば各種画面を表示するＬＣＤ（Liquid Crystal Display）と、作業者の入力操作を受け付けるタッチパネルとが一体化されたタッチディスプレイである。操作表示部４は、制御部３の制御に従って、各種の操作画面、計数結果、紙幣整理装置１の状態を示すメッセージなどを表示する。また、操作表示部４は、作業者による紙幣整理装置１に対する各種の入力操作（例えば、動作モードの指定、計数すべき紙幣Ｂの金種、集積順序等）を受け付け、その入力内容を制御部３へ通知する。
【００１７】
筐体２の前面上方には、紙幣Ｂを取り込む紙幣取込部５が設けられている。作業者により紙幣Ｂが紙幣取込部５に載置された状態で操作部６が操作されると、紙幣取込部５は、載置された紙幣Ｂを１枚ずつ分離して筐体２の内部へ取り込む。内部に取り込まれた紙幣Ｂは、筐体２の内部に収容される種々の機構に搬送部７によって搬送される。
【００１８】
ここでの紙幣取込部５は、紙幣Ｂを収納する収納空間５Ａと、繰出しローラ５Ｂと、紙幣Ｂを繰出しローラ５Ｂに押し当てるためのビルプレス５Ｃとを備える。収納空間５Ａに投入された紙幣Ｂは、ビルプレス５Ｃによって繰出しローラ５Ｂに押し当てられ、繰出しローラ５Ｂが回転することにより搬送部７に一枚ずつ繰り出される。なお、紙幣取込部５は、ビルプレス５Ｃの移動量を検知するセンサ（図示せず）等を有することによって、収納空間５Ａに収納されたすべての紙幣Ｂの取込みを検知する。
【００１９】
操作部６の概略構成を図２に示す。ここでの操作部６は、リセットキー６Ａと、完了キー６Ｂと、開始／停止キー６Ｃとを含んで構成されている。
リセットキー６Ａは、障害発生後の装置復旧動作をするためのボタンである。
完了キー６Ｂは、取引を完了して計数結果を確定するためのボタンである。
開始／停止キー６Ｃは、紙幣取込部５による紙幣Ｂの取り込みを開始／停止するためのボタンである。
【００２０】
搬送部７は、搬送ベルト、搬送ローラ、紙幣ガイド、切替ブレード等の組み合わせからなり、紙幣Ｂが通過する空間である搬送路を有する。搬送部７は、制御部３の制御に基づき、この搬送路に沿って紙幣Ｂを各部へ搬送する。
【００２１】
筐体２内に取り込まれた紙幣Ｂは、鑑別部８に搬送される。鑑別部８は、その内部で紙幣Ｂを搬送しながら紙幣Ｂの金種、真偽、表裏及び損傷の程度等を鑑別し、その鑑別結果を制御部３へ通知する。制御部３は、取得した鑑別結果に基づいて、紙幣Ｂの搬送先を決定すると共に、紙幣Ｂを計数する。紙幣Ｂの搬送先としては、主にリジェクトポケット９、外部集積部１０および一時集積部１１が存在する。
【００２２】
また、本実施形態に係る紙幣整理装置１では、障害発生後の復旧動作として、搬送路確認用紙を搬送させることで残留している紙幣Ｂがないことや搬送部７が正常に動作することなどを確認する（以下では「搬送路確認動作」と呼ぶ場合がある）。搬送路確認用紙は、紙幣Ｂと区別できる専用の用紙である。搬送路確認用紙のサイズは紙幣サイズでないとサイズ異常となる。また、搬送路確認動作で紙幣Ｂの残留や搬送部７の異常を検出し易いように搬送可能な範囲でできるだけ大きなサイズ（例えば万券と同じ大きさ）であるのがよい。
【００２３】
鑑別部８は、搬送路確認用紙を検出した場合は、偽券として制御部３に通知する。制御部３は、鑑別結果を予め決められた金種、表裏に書き換える。制御部３は、書き換えられた情報に基づいて搬送路確認用紙の搬送先を決定する。ここで、制御部３は、すべての搬送路を搬送路確認用紙が通過するように鑑別結果を書き換えるようにする。制御部３は、例えば、１枚目の搬送路確認用紙が通過する経路と、２枚目の搬送路確認用紙が通過する経路とが異なるように鑑別結果を書き換える。なお、ここでは、紙幣Ｂを鑑別するモード（例えば、真券モード）で搬送路確認用紙の鑑別を行うことを想定しているので搬送路確認用紙の鑑別結果の書き換えを行っているが、搬送路確認用紙を鑑別する専用のモード（例えば、搬送路確認用紙モード）で搬送路確認用紙の鑑別を行ってもよい。その場合には、搬送路確認用紙の鑑別結果をすべての搬送路を搬送路確認用紙が通過するように予め設定しておくのがよい。紙幣整理装置１における搬送路確認用紙を用いた搬送路確認動作の詳細については後述する。
【００２４】
リジェクトポケット９は、筐体２の上部に一部を露出させるよう設置されている。リジェクトポケット９には、金種を特定できなかった紙幣Ｂや搬送異常を検出したことにより異常と判別した紙幣Ｂが搬送され、集積される。
【００２５】
外部集積部１０は、筐体２の上部であって操作表示部４とリジェクトポケット９との間に設置されている。ここでの外部集積部１０は、前後方向に並んで設けられた二つのオープンポケット１０Ａ，１０Ｂからなり、各オープンポケット１０Ａ，１０Ｂは筐体２の上部に一部を露出させている。外部集積部１０には、正常と判別されたものの結束処理の対象外となる紙幣Ｂが搬送され、集積される。結束処理の対象となる紙幣Ｂの種類は、操作表示部４を介して作業者によって設定される。
【００２６】
一時集積部１１は、筐体２内の前部であって紙幣取込部５の下方に設置されている。ここでの一時集積部１１は、上下方向に並んで設けられた五つの集積庫１１Ａ，１１Ｂ，１１Ｃ，１１Ｄ，１１Ｅ（以降では「集積庫１１Ａ〜１１Ｅ」と表記する場合がある）からなる。一時集積部１１には、正常と判別され、且つ結束処理の対象となる紙幣Ｂが搬送され、集積される。例えば、集積庫１１Ａ〜１１Ｅごとに金種等の集積条件が操作表示部４を介して作業者によって予め設定されており、金種等の集積条件により分類された紙幣Ｂが集積庫１１Ａ〜１１Ｅのいずれかに搬送され、集積される。
【００２７】
一時集積部１１に搬送される紙幣Ｂは、表裏反転部１２を通過する。表裏反転部１２は、鑑別部８における判別結果に基づいて紙幣Ｂの表裏を反転させることにより、全ての紙幣Ｂの表裏を統一する機構である。統一する紙幣Ｂの「表」又は「裏」は、操作表示部４を介して作業者によって設定される。表裏反転部１２には、紙幣Ｂの表裏を反転させない表ルート１２Ａと、紙幣Ｂの表裏を反転させる裏ルート１２Ｂとが存在する。
【００２８】
集積庫１１Ａ〜１１Ｅに集積された紙幣Ｂの枚数が予め設定された結束単位（例えば１００枚）に到達した場合に、移送部１３は紙幣Ｂの束（以降では「紙幣束ＢＴ」と呼ぶ場合がある）を紙幣結束部１４に移送する。移送部１３は、一時集積部１１の後方に配置されており、上下方向および前後方向に移動可能である。
【００２９】
具体的には、制御部３は、集積庫１１Ａ〜１１Ｅそれぞれについて集積された紙幣Ｂの枚数を計数しており、この枚数が予め設定された結束単位に到達すると、移送部１３に紙幣束ＢＴの移送を指示する。移送部１３は、集積庫１１Ａ〜１１Ｅの紙幣束ＢＴを後方へ取り出し、さらに下方へ移動させることにより、一時集積部１１の下方に配置された紙幣結束部１４に受け渡す。
【００３０】
紙幣結束部１４は、移送部１３により移送されてきた紙幣束ＢＴを帯状の結束帯によって結束（施封）し、結束した後の結束済み紙幣束ＢＵを放出口から外部に放出する。
【００３１】
このように、紙幣整理装置１は、紙幣取込部５に載置された紙幣Ｂを１枚ずつ取り込み、金種等に応じて分類した上で１００枚等の結束単位ごとに結束することで結束済み紙幣束ＢＵを順次生成する。
【００３２】
≪第１実施形態に係る紙幣整理装置の動作≫
＜障害発生後の復旧動作＞
次に、図３を参照して（適宜、図１参照）、第１実施形態に係る紙幣整理装置１に障害が発生した後の復旧動作について説明する。図３は、第１実施形態に係る紙幣整理装置１における障害発生後の復旧動作を示すフローチャートの例示である。紙幣整理装置１は、障害が発生することで図３に示す処理を開始する。
【００３３】
障害が発生した場合、紙幣整理装置１の制御部３は、操作表示部４に障害情報画面Ｍ１（図４参照）を表示する（Ｓ１）。ここでは、紙幣整理装置１内で紙幣Ｂが詰まる障害（ジャム障害）が発生した場合を想定する。障害情報画面Ｍ１は、障害位置を図示した領域と、障害解除の手段を説明した領域とを含んで構成されている。
作業者は、障害情報画面Ｍ１を確認しながら障害の解除作業を行い、解除作業が終了した段階でリセットキー６Ａ（図２参照）を押下する（Ｓ２）。制御部３は、障害が解除されたことを確認後に処理を（Ｓ３）に進める。（Ｓ３）以降の処理は、「搬送路確認動作」に関連する処理である。
【００３４】
次に、制御部３は、紙幣取込部５に紙幣Ｂがあるか否かを判定する（Ｓ３）。紙幣取込部５に紙幣Ｂがある場合とは、例えば取引の途中（紙幣Ｂの計数途中）に障害が発生した場合である。制御部３は、紙幣取込部５に紙幣Ｂがない場合に処理を（Ｓ６）に進める。一方、制御部３は、紙幣取込部５に紙幣Ｂがある場合に、紙幣取り除き誘導画面Ｍ２（図５参照）を操作表示部４に表示する（Ｓ４）。
紙幣取り除き誘導画面Ｍ２には、紙幣取込部５に紙幣Ｂが残っていることを作業者に知らせるメッセージ（ここでは「取込部に残っている紙幣を取り除いてください。」）が表示されている。作業者は、紙幣取り除き誘導画面Ｍ２に従って紙幣取込部５にある紙幣Ｂを取り除く（Ｓ５）。
【００３５】
次に、制御部３は、確認用紙セット誘導画面Ｍ３（図６参照）を操作表示部４に表示する（Ｓ６）。確認用紙セット誘導画面Ｍ３には、紙幣取込部５に搬送路確認用紙をセットすることを知らせるメッセージ（ここでは「取込部に確認用紙を８枚セットし、開始を押してください。」）が表示されている。作業者は、確認用紙セット誘導画面Ｍ３に従って紙幣取込部５に所定枚数（ここでは８枚）の搬送路確認用紙をセットし、開始／停止キー６Ｃ（図２参照）を押下する（Ｓ７）。確認用紙セット誘導画面Ｍ３に表示されると共に作業者によって紙幣取込部５にセットされる搬送路確認用紙の枚数は、搬送路確認動作で確認する経路数に対応している。
なお、確認用紙セット誘導画面Ｍ３に表示される搬送路確認用紙の枚数は変動する場合がある。例えば、１回目の搬送路確認動作において何らかの理由によりすべての経路の確認が行えなかった場合に、２回目の搬送路確認動作では残りの経路の確認に必要な枚数だけが確認用紙セット誘導画面Ｍ３に表示される。
【００３６】
次に、制御部３は、開始／停止キー６Ｃが押下されることで搬送部７を起動し、また、繰出しローラ５Ｂを起動する。そして、制御部３は、紙幣取込部５にセットされた搬送路確認用紙を取り込み、取り込んだ搬送路確認用紙を用いて搬送路の確認処理を行う（Ｓ８）。また、制御部３は、搬送路の確認処理をしている間、搬送路確認中画面Ｍ４（図７参照）を操作表示部４に表示する（Ｓ８）。搬送路確認中画面Ｍ４には、搬送路確認用紙を用いた搬送路の確認処理中であることを知らせるメッセージ（ここでは「搬送路確認中」）が表示されている。
【００３７】
（Ｓ８）の搬送路の確認処理について説明する。
具体的には、制御部３は、取り込んだ搬送路確認用紙を鑑別部８に搬送し、鑑別部８は、搬送路確認用紙の鑑別結果を制御部３に通知して、制御部３は、鑑別結果を各集積部（例えば、リジェクトポケット９、外部集積部１０、一時集積部１１）の券種に書き換える。制御部３は、書き換えた鑑別結果に基づいて搬送路確認用紙の搬送先（例えば、リジェクトポケット９、外部集積部１０、一時集積部１１）を決定する。そして、制御部３は、決定した搬送先に搬送路確認用紙を搬送する。
【００３８】
ここで制御部３は、紙幣整理装置１のすべての搬送路を搬送路確認用紙が通過するように、搬送路確認用紙の鑑別結果を書き換えるのがよい。つまり、制御部３は、紙幣整理装置１の何れの箇所に紙幣Ｂが残留していても、搬送路確認用紙が通過することでその残留している紙幣Ｂを検出することができるように鑑別結果を書き換えるようにするのがよい。
なお、特に紙幣Ｂが残留しやすい場所には、より多くの搬送路確認用紙が通過するように鑑別結果を書き換えるようにしてもよい。また、制御部３は、紙幣整理装置１が備える搬送部７（例えば、切替ブレード等）の動作確認を十分に行えるように、搬送路確認用紙の鑑別結果を書き換えるのが望ましい。つまり、制御部３は、搬送部７に負荷ができる限り大きくなるように、搬送する順番を考慮して鑑別結果を書き換えるようにするのが望ましい。
【００３９】
制御部３は、例えば１枚目の搬送路確認用紙の鑑別結果を「金種を特定できなかった紙幣」に書き換え、２〜３枚目の搬送路確認用紙の鑑別結果を「結束処理の対象外となる紙幣」に書き換える。また、制御部３は、４〜８枚目の搬送路確認用紙の鑑別結果を「結束処理の対象となる紙幣」に書き換えると共に、さらに４、６、８枚目の搬送路確認用紙の鑑別結果を「裏」に書き換え、５、７枚目の搬送路確認用紙の鑑別結果を「表」に書き換える。
【００４０】
そして制御部３は、１枚目の搬送路確認用紙をリジェクトポケット９に搬送し、２枚目の搬送路確認用紙をオープンポケット１０Ａに搬送し、３枚目の搬送路確認用紙をオープンポケット１０Ｂに搬送する。続いて制御部３は、４枚目の搬送路確認用紙を裏ルート１２Ｂを通過させて集積庫１１Ａに搬送し、５枚目の搬送路確認用紙を表ルート１２Ａを通過させて集積庫１１Ｂに搬送し、６枚目の搬送路確認用紙を裏ルート１２Ｂを通過させて集積庫１１Ｃに搬送し、７枚目の搬送路確認用紙を表ルート１２Ａを通過させて集積庫１１Ｄに搬送し、８枚目の搬送路確認用紙を裏ルート１２Ｂを通過させて集積庫１１Ｅに搬送する。
【００４１】
これにより紙幣整理装置１のすべての搬送路を搬送路確認用紙が通過するので、残留している紙幣Ｂを確実に検出することができる。
また、４枚目〜８枚目の搬送路確認用紙が表裏反転部１２における表ルート１２Ａと裏ルート１２Ｂとを交互に通過するように搬送されるので、表ルート１２Ａと裏ルート１２Ｂとを切り替える切替ブレード７Ｈに負荷がかかる。さらに、４枚目〜８枚目の搬送路確認用紙が「集積庫１１Ａ→集積庫１１Ｂ→集積庫１１Ｃ→集積庫１１Ｄ→集積庫１１Ｅ」の順番に搬送されるので、一時集積部１１の前で経路を切り替える切替ブレード７Ａ〜７Ｄを漏れなく作動させる。その為、搬送部７の動作確認を十分に行うことができる。
【００４２】
搬送路に残留している紙幣Ｂがある場合には、搬送路確認用紙に押されることで搬送路確認用紙と共に搬送先（例えば、リジェクトポケット９、外部集積部１０、一時集積部１１）に搬送されるか、または、紙幣Ｂが負荷になることで搬送路確認用紙が残留し、新たな障害（ジャム障害）が発生する。その為、何れの場合でも搬送路に残留する紙幣Ｂを漏れなく発見することができる。
【００４３】
なお、確認用紙セット誘導画面Ｍ３（図６参照）の誘導に正しく従わず、指定された枚数（ここでは８枚）よりも少ない枚数が紙幣取込部５にセットされた場合には、紙幣整理装置１のすべての搬送路を搬送路確認用紙が通過せずに未確認の搬送路が存在することになる。例えば、指定された８枚よりも２枚少ない６枚の搬送路確認用紙が紙幣取込部５にセットされた場合に、集積庫１１Ｄ，１１Ｅに搬送する経路の搬送路の確認が行えない。この場合に、制御部３は、搬送路の確認が完了していない経路を記憶しておき、後述するステップで再度の確認を作業者に行わせる。
【００４４】
また、確認用紙セット誘導画面Ｍ３（図６参照）の誘導に正しく従わず、指定された枚数（ここでは８枚）よりも多い枚数が紙幣取込部５にセットされた場合に、制御部３は、指定された枚数よりも多い分の搬送路確認用紙は全て取込みリジェクトポケット９へ搬送する。
【００４５】
次に、制御部３は、搬送路の確認処理中に新たな障害（例えばジャム障害）が発生したか否かを判定する（Ｓ９）。制御部３は、搬送路の確認処理中に新たな障害が発生した場合に処理を（Ｓ１）に戻し、操作表示部４に再び障害情報画面Ｍ１（図４参照）を表示する。一方、制御部３は、搬送路の確認処理中に新たな障害が発生しなかった場合に、確認用紙抜取り誘導画面Ｍ５（図８参照）を操作表示部４に表示する（Ｓ１０）。
【００４６】
確認用紙抜取り誘導画面Ｍ５には、搬送路の確認処理によって搬送先（例えば、リジェクトポケット９、外部集積部１０、一時集積部１１）に搬送された搬送路確認用紙を抜き取ることを作業者に知らせる情報（ここでは「確認用紙を抜き取ってください。」とのメッセージと共に搬送路確認用紙がある場所を強調して表示した紙幣整理装置１の概略図）が表示されている。作業者は、確認用紙抜取り誘導画面Ｍ５に従って搬送された搬送路確認用紙を各搬送先から抜き取る（Ｓ１１）。
【００４７】
次に、制御部３は、紙幣整理装置１のすべての搬送路を確認したか否か（搬送路確認用紙がすべての搬送路を通過したか否か）を判定する（Ｓ１２）。制御部３は、すべての搬送路を確認していない場合（未確認の搬送路がある場合）に処理を（Ｓ６）に戻し、操作表示部４に再び確認用紙セット誘導画面Ｍ３（図６参照）を表示する。
ここで再度表示する確認用紙セット誘導画面Ｍ３には、未確認の搬送路を確認できる最低限の枚数を表示する。例えば、１回目の搬送路の確認処理で集積庫１１Ｄ，１１Ｅへの経路の確認が行えなかった場合に、制御部３は、確認用紙セット誘導画面Ｍ３に「取込部に確認用紙を２枚セットし、開始を押してください。」とのメッセージを表示する。作業者は、確認用紙セット誘導画面Ｍ３に従って紙幣取込部５に２枚の搬送路確認用紙をセットし、開始／停止キー６Ｃを押下する（Ｓ７）。そして、制御部３は、未確認の搬送路である集積庫１１Ｄ，１１Ｅへ搬送路確認用紙を搬送する。
【００４８】
制御部３は、すべての搬送路を確認した場合に、紙幣取込部５に搬送路確認用紙が残っているか否かを判定する（Ｓ１３）。制御部３は、紙幣取込部５に搬送路確認用紙が残っていない場合に障害復旧動作を終了する。一方、制御部３は、紙幣取込部５に搬送路確認用紙が残っている場合に、確認用紙取り除き画面Ｍ６（図９参照）を操作表示部４に表示する（Ｓ１４）。
確認用紙取り除き画面Ｍ６には、紙幣取込部５に搬送路確認用紙が残っていることを作業者に知らせるメッセージ（ここでは「取込部に残っている確認用紙を取り除いてください。」）が表示されている。作業者は、確認用紙取り除き画面Ｍ６に従って紙幣取込部５にある搬送路確認用紙を取り除き（Ｓ１５）、制御部３は紙幣取込部５から搬送路確認用紙を取り除かれることにより障害復旧動作を終了する。
【００４９】
以上のように、第１実施形態に係る紙幣整理装置１は、搬送路確認用紙を紙幣取込部５から取り込ませ、鑑別結果を書き換えることにより、すべての搬送路を搬送路確認用紙が通過するようにする。これにより、第１実施形態に係る紙幣整理装置１は、搬送路に残留する紙幣Ｂを漏れなく発見することができる。
【００５０】
［第２実施形態］
第１実施形態では搬送路の確認動作において、紙幣取込部５から間違って搬送路確認用紙以外の媒体（例えば、真券）が取り込まれた場合の処理を特に規定していなかった。第２実施形態では、搬送路確認動作において、作業者により紙幣取込部５に間違って搬送路確認用紙以外の媒体（例えば、真券）が取り込まれた場合の処理を規定する。
【００５１】
≪第２実施形態に係る紙幣整理装置の構成≫
第２実施形態に係る紙幣整理装置１Ａ（図１参照）は、制御部３Ａ，鑑別部８Ａを備える点が第１実施形態に係る紙幣整理装置１と異なる。なお、その他の構成は第１実施形態と同様である。
【００５２】
≪第２実施形態に係る紙幣整理装置の動作≫
図３を参照して（適宜、図１参照）、第２実施形態に係る紙幣整理装置１Ａに障害が発生した後の復旧動作について説明する。第２実施形態に係る紙幣整理装置１Ａの障害復旧動作は、ステップＴ８を実行する点が第１実施形態に係る紙幣整理装置１の障害復旧動作と異なる。
【００５３】
紙幣整理装置１Ａの制御部３Ａは、開始／停止キー６Ｃが押下されることで搬送部７を起動し、また、繰出しローラ５Ｂを起動して紙幣取込部５にセットされた搬送路確認用紙を取り込み、そして、取り込んだ搬送路確認用紙を用いて搬送路の確認処理を行う（Ｔ８）。また、制御部３Ａは、搬送路の確認処理をしている間、搬送路確認中画面Ｍ４（図７参照）を操作表示部４に表示する（Ｔ８）。搬送路確認中画面Ｍ４には、搬送路確認用紙を用いた搬送路の確認処理中であることを知らせるメッセージ（ここでは「搬送路確認中」）が表示されている。
【００５４】
（Ｔ８）の搬送路の確認処理について説明する。
具体的には、制御部３Ａは、取り込んだ搬送路確認用紙を鑑別部８Ａに搬送し、鑑別部８Ａは、搬送路確認用紙の鑑別結果を制御部３Ａに通知して、制御部３Ａは、鑑別結果を各集積部（例えば、リジェクトポケット９、外部集積部１０、一時集積部１１）の券種に書き換える。また、間違えて搬送路確認用紙以外の媒体（例えば、真券）が取り込まれた場合（つまり、書き換える前の鑑別結果が搬送路確認用紙以外の場合）に、制御部３Ａは、リジェクトポケット９を搬送先とする鑑別結果（例えば、金種を特定できなかった紙幣や搬送異常を検出したことにより異常と判別した紙幣）に書き換える。
【００５５】
続いて、制御部３Ａは、書き換えた鑑別結果に基づいて搬送路確認用紙や搬送路確認用紙以外の媒体（例えば、真券）の搬送先（例えば、リジェクトポケット９、外部集積部１０、一時集積部１１）を決定する。そして、制御部３Ａは、決定した搬送先に搬送路確認用紙や搬送路確認用紙以外の媒体を搬送する。これにより、搬送路確認用紙以外の媒体（例えば、真券）は、リジェクトポケット９に搬送される。
【００５６】
以上のように、第２実施形態に係る紙幣整理装置１Ａは、搬送路の確認動作において、紙幣取込部５から間違って搬送路確認用紙以外の媒体（例えば、真券）が取り込まれた場合に、リジェクトポケット９に搬送する。その為、搬送路確認用紙に混じって真券が投入された場合でも真券を検出することができるので、新たな現金障害の発生を防止できる。
【００５７】
［第３実施形態］
第１実施形態では搬送路の確認動作において、搬送路確認用紙に何かしらの問題がある場合の処理を特に規定していなかった。第３実施形態では、搬送路確認用紙に何かしらの問題がある場合の処理を規定する。
【００５８】
≪第３実施形態に係る紙幣整理装置の構成≫
第３実施形態に係る紙幣整理装置１Ｂ（図１参照）は、制御部３Ｂ，鑑別部８Ｂを備える点が第１実施形態に係る紙幣整理装置１と異なる。なお、その他の構成は第１実施形態と同様である。
【００５９】
≪第３実施形態に係る紙幣整理装置の動作≫
図３を参照して（適宜、図１参照）、第３実施形態に係る紙幣整理装置１Ｂに障害が発生した後の復旧動作について説明する。第３実施形態に係る紙幣整理装置１Ｂの障害復旧動作は、ステップＵ８を実行する点が第１実施形態に係る紙幣整理装置１の障害復旧動作と異なる。
【００６０】
紙幣整理装置１Ｂの制御部３Ｂは、開始／停止キー６Ｃが押下されることで搬送部７を起動し、また、繰出しローラ５Ｂを起動して紙幣取込部５にセットされた搬送路確認用紙を取り込み、そして、取り込んだ搬送路確認用紙を用いて搬送路の確認処理を行う（Ｕ８）。また、制御部３Ｂは、搬送路の確認処理をしている間、搬送路確認中画面Ｍ４（図７参照）を操作表示部４に表示する（Ｕ８）。搬送路確認中画面Ｍ４には、搬送路確認用紙を用いた搬送路の確認処理中であることを知らせるメッセージ（ここでは「搬送路確認中」）が表示されている。
【００６１】
（Ｕ８）の搬送路の確認処理について説明する。
具体的には、制御部３Ｂは、取り込んだ搬送路確認用紙を鑑別部８Ｂに搬送し、鑑別部８Ｂは、搬送路確認用紙の鑑別結果を制御部３Ｂに通知して、制御部３Ｂは、鑑別結果を各集積部（例えば、リジェクトポケット９、外部集積部１０、一時集積部１１）の券種に書き換える。ここで、搬送路確認用紙の鑑別結果が搬送異常（例えば、紙幣間の接近、紙幣が連鎖、紙幣がスキュー）の場合に、制御部３Ｂは、リジェクトポケット９を搬送先とする鑑別結果（例えば、金種を特定できなかった紙幣や搬送異常を検出したことにより異常と判別した紙幣）に書き換える。
【００６２】
続いて、制御部３Ｂは、書き換えた鑑別結果に基づいて搬送路確認用紙の搬送先（例えば、リジェクトポケット９、外部集積部１０、一時集積部１１）を決定し、決定した搬送先に搬送路確認用紙を搬送する。これにより、問題のある搬送路確認用紙は、リジェクトポケット９に搬送される。
【００６３】
以上のように、第３実施形態に係る紙幣整理装置１Ｂは、搬送路の確認動作において、搬送路確認用紙が異常搬送された場合に、搬送路の確認が正常に行えないのでリジェクトポケット９に搬送する。その為、安定して残留する紙幣Ｂの検出を行うことができる。したがって、紙幣Ｂが紙幣整理装置１Ｂ内に引き続き残留するおそれを低減させることが可能であり、また更なる障害の発生を防止できる。
【００６４】
［第４実施形態］
第１実施形態では搬送路の確認動作において、搬送路確認用紙を搬送する速度について特に規定していなかった。第４実施形態では、搬送路確認用紙を搬送する速度について規定する。
【００６５】
≪第４実施形態に係る紙幣整理装置の構成≫
第４実施形態に係る紙幣整理装置１Ｃ（図１参照）は、制御部３Ｃを備える点が第１実施形態に係る紙幣整理装置１と異なる。なお、その他の構成は第１実施形態と同様である。
【００６６】
≪第４実施形態に係る紙幣整理装置の動作≫
図３を参照して（適宜、図１参照）、第４実施形態に係る紙幣整理装置１Ｃに障害が発生した後の復旧動作について説明する。第４実施形態に係る紙幣整理装置１Ｃの障害復旧動作は、ステップＶ８を実行する点が第１実施形態に係る紙幣整理装置１の障害復旧動作と異なる。
【００６７】
紙幣整理装置１Ｃの制御部３Ｃは、開始／停止キー６Ｃが押下されることで搬送部７を低速で起動し、また、繰出しローラ５Ｂを低速で起動して紙幣取込部５にセットされた搬送路確認用紙を取り込む。そして、制御部３Ｃは、取り込んだ搬送路確認用紙を低速で搬送することで搬送路の確認処理を行う（Ｖ８）。また、制御部３Ｃは、搬送路の確認処理をしている間、搬送路確認中画面Ｍ４（図７参照）を操作表示部４に表示する（Ｖ８）。搬送路確認中画面Ｍ４には、搬送路確認用紙を用いた搬送路の確認処理中であることを知らせるメッセージ（ここでは「搬送路確認中」）が表示されている。
【００６８】
ここで、搬送路確認用紙を搬送させる低速とは、取引時（紙幣Ｂを処理する作業時）に紙幣Ｂを搬送させる速度よりも遅ければよい。例えば、取引時に紙幣Ｂを１秒間に１３．５枚程度の速度で分類していた場合に、搬送路確認用紙を１秒間に８枚程度の速度で分類するようにする。
【００６９】
以上のように、第４実施形態に係る紙幣整理装置１Ｃは、搬送路の確認動作において、搬送路確認用紙の搬送の速度を通常運用（取引時）の速度より遅い低速にする。その為、安定して残留する紙幣Ｂの検出を行うことができる。したがって、紙幣Ｂが紙幣整理装置１Ｃ内に引き続き残留するおそれを低減させることが可能であり、また更なる障害の発生を防止できる。
【００７０】
［第５実施形態］
第１実施形態では搬送路の確認動作の解除や中止について特に規定していなかった。第５実施形態では、搬送路の確認動作の解除や中止について規定する。
【００７１】
≪第５実施形態に係る紙幣整理装置の構成≫
第５実施形態に係る紙幣整理装置１Ｄ（図１参照）は、制御部３Ｄを備える点が第１実施形態に係る紙幣整理装置１と異なる。なお、その他の構成は第１実施形態と同様である。
【００７２】
≪第５実施形態に係る紙幣整理装置の動作≫
図１０を参照して（適宜、図１参照）、第５実施形態に係る紙幣整理装置１Ｄに障害が発生した後の復旧動作について説明する。第５実施形態に係る紙幣整理装置１Ｄの障害復旧動作は、（Ｓ２）に続いてステップＷ２１の判定処理およびその判定結果により異なる処理を実行する点が第１実施形態に係る紙幣整理装置１の障害復旧動作と異なる。
【００７３】
制御部３Ｄは、（Ｓ２）で障害が解除された後に、パラメータ設定の判定を行う（Ｗ２１）。ここでのパラメータは、障害復旧に際し搬送路確認用紙を用いた搬送路の確認動作を行うか否かを示す情報であり、作業者によって設定可能である。ここでは、パラメータとして、搬送路確認動作「あり」、「なし」、「あり（スキップ可）」の３つを設定できることにする。
【００７４】
制御部３Ｄは、パラメータとして搬送路確認動作「あり」が設定されていると判定した場合に、第１実施形態で説明したのと同様の処理（Ｓ３以降の処理）を続ける。
また、制御部３Ｄは、パラメータとして搬送路確認動作「なし」が設定されていると判定した場合に、搬送路確認用紙を用いた搬送路の確認を行うことなく障害復旧動作を終了する。
また、制御部３Ｄは、パラメータとして搬送路確認動作「あり（スキップ可）」が設定されていると判定した場合に、処理を（Ｗ２２）に進める。
【００７５】
制御部３Ｄは、パラメータとして搬送路確認動作「あり（スキップ可）」が設定されていると判定した場合に、紙幣取込部５に紙幣Ｂがあるか否かを判定する（Ｗ２２）。紙幣取込部５に紙幣Ｂがある場合とは、例えば取引の途中（紙幣Ｂの計数途中）に障害が発生した場合である。制御部３Ｄは、紙幣取込部５に紙幣Ｂがない場合に処理を（Ｗ２５）に進める。一方、制御部３Ｄは、紙幣取込部５に紙幣Ｂがある場合に、紙幣取り除き誘導画面Ｍ２（図５参照）を操作表示部４に表示する（Ｗ２３）。
紙幣取り除き誘導画面Ｍ２には、紙幣取込部５に紙幣Ｂが残っていることを作業者に知らせるメッセージ（ここでは「取込部に残っている紙幣を取り除いてください。」）が表示されている。作業者は、紙幣取り除き誘導画面Ｍ２に従って紙幣取込部５にある紙幣Ｂを取り除く（Ｗ２４）。
【００７６】
次に、制御部３Ｄは、確認用紙セット誘導画面Ｍ７（図１１参照）を操作表示部４に表示する（Ｗ２５）。確認用紙セット誘導画面Ｍ７には、紙幣取込部５に搬送路確認用紙をセットすることを知らせるメッセージ（ここでは「取込部に確認用紙を８枚セットし、開始を押してください。」）が表示されている。また、確認用紙セット誘導画面Ｍ７には、搬送路確認動作を中止できることを知らせるメッセージ（ここでは「中止する場合は、リセットを押してください。」）が表示されている。作業者は、確認用紙セット誘導画面Ｍ７に従って、紙幣取込部５に所定枚数（ここでは８枚）の搬送路確認用紙をセットして開始／停止キー６Ｃを押下するか、またはリセットキー６Ａを押下する。
【００７７】
制御部３Ｄは、作業者により搬送路確認用紙をセットして開始／停止キー６Ｃが押下されたと判定した場合に、処理を（Ｓ８）に進める（Ｗ２６）。一方、制御部３Ｄは、作業者によりリセットキー６Ａが押下されたと判定した場合に、搬送路確認動作を中止して障害復旧動作を終了する（Ｗ２６）。
【００７８】
以上のように、第５実施形態に係る紙幣整理装置１Ｄは、搬送路の確認動作を解除や中止することができるので、作業者の熟練等により残留紙幣の除去漏れがないと判断できる場合に、搬送路の確認動作を行わないようにすることが可能である。つまり、復旧動作のバリエーションの中から作業者が適宜選択することができるので、障害復旧にかかる時間の短縮を優先したい場合などの事象に対応することができる。
【００７９】
以上、本発明の実施形態について説明したが、本発明はこれに限定されるものではなく、特許請求の範囲の趣旨を変えない範囲で実施することができる。
【００８０】
例えば、各実施形態では、制御部３，３Ａ，３Ｂが搬送路確認用紙の鑑別結果を書き換えていたが、搬送路確認用紙の鑑別結果を書き換える構成要素は制御部３、３Ａ，３Ｂに限定されるものではない。例えば、鑑別部８，８Ａ，８Ｂが搬送路確認用紙の鑑別結果を書き換えてもよい。
また、各実施形態では、鑑別部８，８Ａ，８Ｂを単一の装置（ユニット）として説明したが、鑑別部８，８Ａ，８Ｂが備えるセンサ類を搬送路上に配置し、制御部３がこれらのセンサ類の情報に基づいて搬送路確認用紙の鑑別処理および鑑別結果の書き換えを行ってもよい。
【００８１】
また、各実施形態では、紙幣整理装置１，１Ａ，１Ｂ，１Ｃ，１Ｄの何れの箇所に紙幣Ｂが残留していても、搬送路確認用紙が通過することでその残留している紙幣Ｂを検出することができるように鑑別結果を書き換えていた。つまり、すべての搬送路を確認動作の検出対象としていた。しかしながら、搬送路確認動作の検出対象はこれに限定されるものではない。例えば、障害が発生した箇所を搬送路確認動作の検出対象とし、少なくとも障害が発生した箇所を搬送路確認用紙が通過するようにしてもよい。
【００８２】
また、各実施形態では、操作表示部４に表示される各種画面Ｍを用いて作業者に搬送路確認動作の手順を通知していたが、音声などを用いて作業者に搬送路確認動作の手順を通知してもよい。
【００８３】
また、各実施形態では、媒体処理装置の一例として紙幣Ｂを整理する紙幣整理装置１，１Ａ，１Ｂ，１Ｃ，１Ｄを例示して説明していた。しかしながら、本発明が適用される媒体は紙幣Ｂに限定されるものではなく、媒体を搬送するあらゆる装置で用いることができる。
【符号の説明】
【００８４】
１，１Ａ，１Ｂ，１Ｃ，１Ｄ  紙幣整理装置（媒体処理装置）
２      筐体
３，３Ａ，３Ｂ，３Ｃ，３Ｄ  制御部（制御手段）
４      操作表示部（表示手段）
５      紙幣取込部
６      操作部（操作手段）
７      搬送部
８，８Ａ，８Ｂ  鑑別部（鑑別手段）
９      リジェクトポケット（異常媒体集積手段）
１０    外部集積部
１１    一時集積部
１２    表裏反転部
１３    移送部
１４    紙幣結束部
Ｂ      紙幣（媒体）
【図１】
2018180598.tif 000003
【図２】
2018180598.tif 000004
【図３】
2018180598.tif 000005
【図４】
2018180598.tif 000006
【図５】
2018180598.tif 000007
【図６】
2018180598.tif 000008
【図７】
2018180598.tif 000009
【図８】
2018180598.tif 000010
【図９】
2018180598.tif 000011
【図１０】
2018180598.tif 000012
【図１１】
2018180598.tif 000013